(57)【要約】【課題】顧客からの呼出表示をより多くの被呼出関係者が視認出来ることにより、より迅速で正確なサービスが出来る商品を提供する。【解決手段】従来の商品は、顧客データーが片面表示の物でしかなく、両面表示にすることで、顧客サービスの向上を図った。また両面表示にした時の製品コストの低減と、使用電力の低減を図るため片面で両面表示の可能な製品を発明した。【選択図】　図４
2004062120.tif 000002
【特許請求の範囲】
【請求項１】
呼出表示部を両面に配することにより、表示器の両方に位置する人物、又は仕切り等で隔てられた各室から表示内容を視認できる事を特徴とする呼出表示システム。
【請求項２】
表示器面を回転させると同時に残像視認効果をもたせる事により、片面で両面表示を可能にするとともに、消費電力の低減を図った呼出表示システム。
【請求項３】
表示器面を前後に振り子動作させると同時に残像視認効果をもたせる事により、片面で両面表示を可能にするとともに、消費電力の低減を計った呼出表示システム。
【請求項４】
片面で両面表示させるために、あらかじめ定めた位置に表示面が移動した時間だけ点灯させる事で、残像視認効果をもたせたると同時に、反対面での文字反転を補正するための制御回路で文字反転を防いだ呼出表示システム。
【請求項５】
スイッチ操作により、一日の総呼出回数の集計結果を表示でき、また、テーブルまたは客室毎の集計結果も表示できる事とした、呼出表示システム。
【発明の詳細な説明】
【０００１】
【発明の属する技術分野】
本発明は無線遠隔呼出表示装置、主にレストラン等の飲食店で使用の呼出機にて顧客が店員を呼出したときの、テーブル番号や座席番号等の情報を表示する装置、又は病院で患者が看護婦を呼出したときの部屋番号や患者番号等の情報を表示する呼出表示システムに関する。
【０００２】
【発明の背景】
昨今、飲食店等でこの様な表示装置を多数見かけるが、両面表示の物は見かけた事がない。
【０００３】
【発明の目的】
そこで、両面表示にする事で、より多数の被呼出関係者に情報を提供する事が可能となり、顧客に対するサービスが、より一層スムーズに行えるようになり、より顧客サービスの向上が得られるシステムを提供する。
【０００４】
【課題を解決するための手段】
ＬＥＤや液晶を使用した表示部を表示装置の両面に配し、表示情報がどちら側からでも視認可能とした、又、両面表示する為に高価なＬＥＤや液晶の表示器、その他電子部品が片面表示の２倍必要であるが、そのコスト上昇分を抑えるために片面部品で両面表示が出来る方法も合わせて発明した。
【０００５】
【作用】
たとえば、レストランの接客側と厨房の両方から視認可能な位置に表示装置を設置する事で厨房側及びウエートレスが同時に接客情報を得る事が出来る。又、表示部を店内中央に設置すれば、接客中のウエートレスであっても、次にどのテーブル客に対応するべきか、即座に判断がで出来るため、よりスムーズに接客できる。この様に、使用する者の状況に応じて様々な展開が可能で、商品の使用価値が向上し、商品の販路の拡大が期待できる。
【０００６】
【発明の実施の形態】
次に、本発明の実施の形態を具体例として、図面を参照して説明する。図１は本発明を実施した両面表示器で、参照として図中３のようにＬＥＤを配して８の字を構成し、２桁の番号で５箇所分を同時に表示できる物で、表裏一体であるので便宜上正面図とし、裏面は省略してある。図２は本発明の表示装置を具体例として、レストランの厨房側と客室側の両方から視認できるように取り付けた略図である。
【０００７】
図３は、片面で両面表示をするための制御ブロック図であり、図中４の送信機（呼出機）から送出されたデーターを図中５の受信機で受け、図中６の信号処理回路でデーターを処理し、そのデーターを図中７の表示制御装置（マイコン）に送り、それを介してデーターを図中８の記憶装置（メモリーＩＣ）に記憶させると同時に、データーに応じて図中９の表示器を点灯させる。また、同時に表示器の中に組み込まれた位置検出回路からのデーターを基に、点灯時期および前後面の認識をした上で、正しい表示制御を行っている。
【０００８】
図４は、表示器部分を図中１２のモーターで回転させた表示機の参照図で、図中１１の位置センサー２対が位置データーを表示制御部に送り、表示制御回路は、そのデーターを基に表示部の点灯時期を決定すると同時に表裏の判定をし、表裏ともに同じ文字データーを表示する。
【０００９】
図４の中で、電源供給はモーター側軸及び、図中１４の非接触軸受けを介して行う構造とし、図中１０の表示機本体で使用するプリント基板の表面に表示点灯用ＬＥＤを配し、裏面に信号処理回路及び表示制御回路の全てを配した一体構造とした。また、表示機本体の表示窓は、非点灯時には中の見えない色付スモークアクリルとし、ＬＥＤ点灯時に文字が浮かび上がるものを使用する。また、表示機本体ケースは上部で固定されており、中のプリント基板がモーターで回転する構造となっている。
【００１０】
図５の中で、図中１８の運動軸は、カムシャフトを介してモーターに接続し、モーターの回転で、前後に５０〜６０°の早い振り子運動させる。また、図５中で矢印と５０〜６０°とあるのは、運動軸が動いたときの、プリント基板概念位置を表す。
【００１１】
図中２０は、ＬＥＤを配した表示プリント基板で、基板中心部９０°に表示制御プリント基板を固定して、その基板の反対端を運動軸で固定してあり、運動軸の運動時の角度を検出することで表示点灯時期を決定すると同時に表裏判定もできるため、表示制御がスムーズにできる利点がある。
【００１２】
また、振り子型両面表示の概念図は、回転型の両面表示とほぼ同一であるが、違いは、位置センサーを運動軸で検出する事と、表示窓が斜め下方へ向くだけなので、省略する。
【００１３】
図６は、一日ごとの集計結果を表示する為の制御ブロック図であり、図中２２のスイッチ操作によりメモリーＩＣに記憶された呼出回数の集計結果を呼び出し制御回路に送出し、そのデーターを制御回路から表示回路に転送し表示させる。また、この集計結果を送信機からのスィッチ操作での呼出データーを無線で送ることで、集計結果を表示することも可能である。
【発明の効果】
表示部分を両面にする事で、顧客の呼出データーをより多くの被呼出関係者に示すことが出来るため、素早い対応ができ、顧客に対するサービスが向上する。また、片面で両面表示を可能にしたことで、省資源、省電力効果もあり、又、集計結果を表示できることで一日毎の入客状況を素早く知ることが可能である。
【図面の簡単な説明】
【図１】表示機正面参照図
【図２】表示機を取り付けた参照図
【図３】表示制御ブロック図
【図４】回転型両面表示概念図
【図５】振り子型両面表示概念図
【図６】集計結果表示ブロック図
【符号の説明】
１　　表示機本体
２　　表示窓（アクリル窓）
３　　表示器（ＬＥＤ　ｏｒ　液晶）
４　　送信機（呼出機）
５　　受信機
６　　信号処理回路
７　　表示制御装置（マイコン）
８　　記憶装置（メモリーＩＣ）
９　　表示機（表示位置検出回路を含む）
１０　　回転型両面表示機本体
１１　　位置センサー
１２　　モーター
１３　　電源部
１４　　非接触型軸受け
１５　　取り付け台兼モーターハウス
１６　　取り付け台兼電源ハウス
１７　　固定アーム
１８　　運動軸
１９　　運動軸受け
２０　　表示部プリント基板
２１　　表示制御部プリント基板
２２　　集計記憶呼出スィッチ部
【図１】
2004062120.tif 000003
【図２】
2004062120.tif 000004
【図３】
2004062120.tif 000005
【図４】
2004062120.tif 000006
【図５】
2004062120.tif 000007
【図６】
2004062120.tif 000008